(57)【要約】【課題】モニタ部とチューナ部とをＨＤＭＩ・ＣＥＣ接続した表示装置を備えた表示システムにおいて、複数の表示装置を同一のＣＥＣバスに接続した場合に、モニタ部とチューナ部を互いに識別可能とする。【解決手段】表示装置１０ａ〜１０ｃは、モニタ部とチューナ部とがＨＤＭＩ接続され、チューナ部がＨＤＭＩＳＷ２にＨＤＭＩ接続される。モニタ部１１は、モニタ部１１を識別するための識別情報を付加したＣＥＣメッセージをブロードキャスト送信する。チューナ部１２は、表示装置１０ａ〜１０ｃのいずれかのモニタ部からブロードキャスト送信されたＣＥＣメッセージを受信し、チューナ部１２に直接接続されているモニタ部１１にアクセスして識別情報を読み取り、ＣＥＣメッセージに含まれる識別情報とモニタ部１１から読み取った識別情報とが一致するか判定する。両者が一致する場合にモニタ部１１との間でＣＥＣ通信を行う。【選択図】図１
2010041384.tif 000002
【特許請求の範囲】
【請求項１】
少なくとも１つのソース機器と複数の表示装置とがリピータ機器を介してＨＤＭＩ接続された表示システムであって、
前記複数の表示装置は、モニタ部とチューナ部とがＨＤＭＩ接続されると共に、前記チューナ部が前記リピータ機器にＨＤＭＩ接続され、
前記モニタ部は、該モニタ部を識別するための識別情報を付加したＣＥＣメッセージをブロードキャスト送信する第１のＣＥＣ処理手段を備え、
前記チューナ部は、前記複数の表示装置のいずれかのモニタ部からブロードキャスト送信された前記ＣＥＣメッセージを受信する第２のＣＥＣ処理手段と、前記チューナ部に直接接続されたモニタ部にアクセスして該モニタ部の識別情報を読み取る識別情報読取手段と、前記ＣＥＣメッセージに含まれる識別情報と前記モニタ部から読み取った識別情報とが一致するか否かを判定する判定手段とを備え、
前記判定手段により両者が一致すると判定された場合に前記モニタ部との間でＣＥＣ通信を行うことを特徴とする表示システム。
【請求項２】
請求項１に記載の表示システムにおいて、前記判定手段により両者が一致すると判定され、前記チューナ部と前記モニタ部との間でＣＥＣ通信を行う際に、互いに前記識別情報が付加されたＣＥＣメッセージにのみ応答することを特徴とする表示システム。
【請求項３】
請求項１又は２に記載の表示システムにおいて、前記識別情報は、ＨＤＣＰの認証キーであることを特徴とする表示システム。
【請求項４】
請求項１又は２に記載の表示システムにおいて、前記識別情報は、前記モニタ部のＥＤＩＤから取得可能な機器固有識別子であることを特徴とある表示システム。
【請求項５】
請求項４に記載の表示システムにおいて、ユーザによる操作入力に従って前記表示装置を待機状態から起動させるときに、該表示装置のモニタ部は、前記機器固有識別子を付加したＣＥＣメッセージをブロードキャスト送信し、
前記表示装置のチューナ部は、前記ブロードキャスト送信されたＣＥＣメッセージに含まれる機器固有識別子を保持すると共に、前記モニタ部にアクセスして該モニタ部のＥＤＩＤから機器固有識別子を読み取ることを特徴とする表示システム。
【発明の詳細な説明】
【技術分野】
【０００１】
本発明は、表示システムに関し、より詳細には、ＨＤＭＩ（High Definition Multimedia Interface）により複数の外部機器が接続された表示システムに関する。
【背景技術】
【０００２】
映像／音声等の伝送用デジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。ＨＤＭＩでは、ＨＤＭＩ入力端子をもつ液晶テレビやモニタなどの表示装置をシンク機器、ＨＤＭＩ出力端子をもつレコーダやプレーヤなどをソース機器、ＨＤＭＩ入力端子とＨＤＭＩ出力端子とをもつＡＶアンプなどをリピータ機器として、シンク機器に複数のリピータ機器やソース機器を階層的に接続し、入力先を切り替えて使用することができる。
【０００３】
従来、例えばＬＣＤなどを使用した表示部（モニタ）を備えた表示装置においては、チューナやプレーヤなどの映像源となるソース機器を外部接続して、そのソース機器から入力する映像を表示できるようにしている。ソース機器としては、例えば上記のようにチューナやプレーヤ（ＢＤ，ＤＶＤなど）、あるいはＰＣやゲーム機器などが接続できる。チューナは、セットトップボックス（ＳＴＢ）として構成されたものであってもよく、以下では総称的にチューナとして説明する。
【０００４】
モニタにチューナを接続することで、一体型のテレビ装置と同様の機能を得ることができる。また、チューナには、プレーヤやＰＣ、ゲーム機器等を接続することにより、これらの装置から出力される映像を、チューナを介してモニタに出力させる構成をとることもできる。例えば、モニタにチューナを接続し、そのチューナに対してＢＤプレーヤやＤＶＤプレーヤを接続して使用する形態をとることができる。
【０００５】
上記のようなモニタの一例として、モニタを操作するためのリモコン等の操作入力手段を操作することによって、モニタに接続されたチューナを操作できるようにしたものがある。例えばモニタにＨＤＭＩ入力端子を設け、チューナとの間でＨＤＭＩ接続を可能とし、ＨＤＭＩで規定されるＣＥＣ(Consumer Electronics Control)メッセージを使用して、モニタ側からチューナの制御を行うようにしている。なお、ＨＤＭＩにおけるＣＥＣ規格に係る仕様は非特許文献１に定義されている。
【０００６】
また、ＨＤＭＩ対応機器では、ソース機器（チューナ）がＤＤＣ(Display Data Channel)ラインを用いてシンク機器（モニタ）のＥＤＩＤ(Extended Display Identification Data)を取得することにより、シンク機器の仕様（解像度など）を認識し、ソース機器はそれに合わせた形態でＨＤＭＩストリームを出力できるようにしている（例えば、特許文献１を参照）。
【０００７】
また、ＨＤＭＩ規格ではＤＤＣラインを用いたＨＤＣＰ(High-bandwidth Digital Content Protection system) による認証が規定されており、このＨＤＣＰにより不正コピーを防止できるようにしている。
【０００８】
ここで、モニタ部とチューナ部とをＨＤＭＩ接続して使用するタイプの表示装置の場合、上記のＨＤＣＰ認証とは別にモニタ部とチューナ部との間でＣＥＣメッセージを用いた相互認証を行うようにしたものがある。
【０００９】
図３は、モニタ部とチューナ部を分離して使用するシステムの接続構成例を示す図であり、図中、１００ａ〜１００ｃは表示装置、２００はソース機器（プレーヤ）、２０１はＨＤＭＩ ＳＷ（ＨＤＭＩスイッチ）、２０２はＣＥＣライン、２０３はＨＤＭＩライン、２０４はＤＤＣラインを示す。表示装置１００ａ〜１００ｃはモニタ部１０１ａ〜１０１ｃ，ＥＤＩＤ１０２ａ〜１０２ｃ，チューナ部１０３ａ〜１０３ｃを備え、モニタ部１０１ａ〜１０１ｃとチューナ部１０３ａ〜１０３ｃとはＨＤＭＩ・ＣＥＣ接続されている。
【００１０】
なお、図中、モニタ部１０１ａ〜１０１ｃとチューナ部１０３ａ〜１０３ｃにおける括弧内の数字は、機器の種別を示す論理アドレス，機器の接続位置を示す物理アドレスを表し、例えば、チューナ部１０３ａの（３，１．０．０．０）は、論理アドレスがチューナを示す“３”で、物理アドレスが[１．０．０．０]であることを示す。本例では、チューナの論理アドレスとして“３，５，７，１０”の４つが割り当てられ、モニタ（ＴＶ）の論理アドレスとして“０”が割り当てられる。ここではモニタ部１０１ａに論理アドレス“０”が割り当てられているため、他のモニタ部１０１ｂ，１０１ｃの論理アドレスにはＴＶ用としてそれぞれ“FREEUSE”，“UNRECOGNIZED”が割り当てられる。
【００１１】
モニタ部１０１ａ〜１０１ｃはＨＤＭＩ入力端子を備え、チューナ部１０３ａ〜１０３ｃはＨＤＭＩ入力端子とＨＤＭＩ出力端子を備えており、チューナ部１０３ａ〜１０３ｃのＨＤＭＩ入力端子側がＨＤＭＩ・ＳＷ２０１に接続される。ＨＤＭＩ・ＳＷ２０１は、本例では３つのＨＤＭＩ出力端子と１つのＨＤＭＩ入力端子を持ち、ＨＤＭＩ入力端子がプレーヤ２００と接続される。
【００１２】
すなわち、図３の接続例は、複数の表示装置１００ａ〜１００ｃを同一のＨＤＭＩ・ＣＥＣバスに接続し、１つのソース機器であるプレーヤ２００からの映像ストリームを複数の表示装置１００ａ〜１００ｃで表示させるようにしたものである。このような接続構成は店頭デモ等において利用されている。
【００１３】
上記の接続構成において、モニタ部１０１ａ〜１０１ｃ（以下、モニタ部１０１）とチューナ部１０３ａ〜１０３ｃ（以下、チューナ部１０３）は起動開始時に所定の認証用ＣＥＣメッセージ（ベンダコマンド）を送受信し、モニタ部１０１は、認証用ＣＥＣメッセージを送信してきた機器の論理アドレスがチューナ（ＴＵＮＥＲ）を示し、物理アドレスが[１．０．０．０]である場合に、直接接続されたチューナ部１０３を識別し、このチューナ部１０３に対して応答できるようにしている。また、チューナ部１０３は、モニタ部１０１からの認証用ＣＥＣメッセージの論理アドレスがテレビ（ＴＶ）を示す場合に、モニタ部１０１からの制御に基づいて動作を開始する。
【非特許文献１】High-Definition Multimedia Interface Specification Version 1.2a   Supplement 1 Consumer Electronics Control(CEC),December 14 2005
【特許文献１】特開２００６−３３９９０１号公報
【発明の開示】
【発明が解決しようとする課題】
【００１４】
ここで、図３に示す接続構成とした場合、すなわち、モニタ部とチューナ部からなる複数の表示装置を同一のＣＥＣバスに接続し１つのソース機器からの映像を共有するような場合では、実際には直接接続されていない機器と通信してしまうという問題がある。これについて以下に説明する。
【００１５】
図３において、複数の表示装置１００ａ〜１００ｃに同一映像を表示させるために、複数の表示装置のＨＤＭＩ入力とＨＤＭＩ・ＳＷ２０１の複数のＨＤＭＩ出力とを接続し、ＨＤＭＩ・ＳＷ２０１のＨＤＭＩ入力に接続されたプレーヤ２００からの映像を出力させていた。ＨＤＭＩ・ＳＷ２０１は、全てのＨＤＭＩ端子が同じＣＥＣラインで接続されるため、これに接続された表示装置１００ａ〜１００ｃのＣＥＣラインは同一のラインで接続されることになる。
【００１６】
さらに、表示装置１００ａ〜１００ｃでは、モニタ部１０１とチューナ部１０３との間の通信に使用するＣＥＣラインをＨＤＭＩ受信側（外部機器側）と分離せずに接続していたため、結果的にＨＤＭＩ・ＳＷ２０１に接続された全てのモニタ部１０１とチューナ部１０３とが同一のＣＥＣラインで接続されてしまうことになる。
【００１７】
これにより、同一のＣＥＣライン上にチューナ用論理アドレスを持つ複数のチューナ部１０３と、テレビ用論理アドレスを持つ複数のモニタ部１０１とが存在し、同一の物理アドレスを持つ機器が存在するため、直接接続されたモニタ部１０１とチューナ部１０３との間でＣＥＣ通信を行おうとしても、論理アドレスと物理アドレスにより機器の識別ができず、誤って直接接続されていない機器と通信してしまう。
【００１８】
本発明は、上述のごとき実情に鑑みてなされたものであり、モニタ部とチューナ部とをＨＤＭＩ・ＣＥＣ接続した表示装置を備えた表示システムにおいて、複数の表示装置を同一のＣＥＣバスに接続した場合に、モニタ部とチューナ部を互いに識別可能とすること、を目的とする。
【課題を解決するための手段】
【００１９】
上記課題を解決するために、本発明の第１の技術手段は、少なくとも１つのソース機器と複数の表示装置とがリピータ機器を介してＨＤＭＩ接続された表示システムであって、前記複数の表示装置は、モニタ部とチューナ部とがＨＤＭＩ接続されると共に、前記チューナ部が前記リピータ機器にＨＤＭＩ接続され、前記モニタ部は、該モニタ部を識別するための識別情報を付加したＣＥＣメッセージをブロードキャスト送信する第１のＣＥＣ処理手段を備え、前記チューナ部は、前記複数の表示装置のいずれかのモニタ部からブロードキャスト送信された前記ＣＥＣメッセージを受信する第２のＣＥＣ処理手段と、前記チューナ部に直接接続されたモニタ部にアクセスして該モニタ部の識別情報を読み取る識別情報読取手段と、前記ＣＥＣメッセージに含まれる識別情報と前記モニタ部から読み取った識別情報とが一致するか否かを判定する判定手段とを備え、前記判定手段により両者が一致すると判定された場合に前記モニタ部との間でＣＥＣ通信を行うことを特徴としたものである。
【００２０】
第２の技術手段は、第１の技術手段において、前記判定手段により両者が一致すると判定され、前記チューナ部と前記モニタ部との間でＣＥＣ通信を行う際に、互いに前記識別情報が付加されたＣＥＣメッセージにのみ応答することを特徴としたものである。
【００２１】
第３の技術手段は、第１又は第２の技術手段において、前記識別情報は、ＨＤＣＰの認証キーであることを特徴としたものである。
【００２２】
第４の技術手段は、第１又は第２の技術手段において、前記識別情報は、前記モニタ部のＥＤＩＤから取得可能な機器固有識別子であることを特徴としたものである。
【００２３】
第５の技術手段は、第４の技術手段において、ユーザによる操作入力に従って前記表示装置を待機状態から起動させるときに、該表示装置のモニタ部は、前記機器固有識別子を付加したＣＥＣメッセージをブロードキャスト送信し、前記表示装置のチューナ部は、前記ブロードキャスト送信されたＣＥＣメッセージに含まれる機器固有識別子を保持すると共に、前記モニタ部にアクセスして該モニタ部のＥＤＩＤから機器固有識別子を読み取ることを特徴としたものである。
【発明の効果】
【００２４】
本発明によれば、モニタ部とチューナ部とをＨＤＭＩ・ＣＥＣ接続した表示装置を備えた表示システムにおいて、複数の表示装置を同一のＣＥＣバスに接続した場合に、機器固有の識別子を付加することで、モニタ部とチューナ部とを互いに識別することができる。
【発明を実施するための最良の形態】
【００２５】
以下、添付図面を参照しながら、本発明の表示システムに係る好適な実施の形態について説明する。本発明の実施形態においては、ＨＤＭＩ規格に含まれるＣＥＣメッセージを使用する。このＣＥＣメッセージとはＨＤＭＩで規格化されている機器制御信号である。
【００２６】
図１は、本発明の表示システムにおけるＨＤＭＩ接続に係る要部構成例を説明するためのブロック図で、図中、１はソース機器であるプレーヤ、２はリピータ機器であるＨＤＭＩ・ＳＷ（ＨＤＭＩスイッチ）、３はＣＥＣライン、４はＨＤＭＩライン、５はＤＤＣライン、１０ａ〜１０ｃはシンク機器である表示装置を示す。表示装置１０ａ〜１０ｃはそれぞれモニタ部とチューナ部とを備え、モニタ部とチューナ部とがＨＤＭＩ・ＣＥＣ接続されると共に、各チューナ部がＨＤＭＩ・ＳＷ２にＨＤＭＩ・ＣＥＣ接続される。以下、表示装置１０ａが備えるモニタ部１１とチューナ部１２とを代表例として説明する。
【００２７】
モニタ部１１は、リモコン装置（図示しない）からのリモコン信号を受信するリモコン信号受信部１１１と、モニタ部１１の動作を制御するＭＰＵ（制御部）１１２と、ＣＥＣメッセージをデコード／エンコードしてＣＥＣメッセージの送受信を行うＣＥＣ処理部１１３と、音声ストリームを音声出力可能な形式に変換してスピーカ１１４に出力する音声出力部１１５と、映像ストリームを映像表示可能な形式に変換して画面表示する画像表示部１１６と、ＨＤＭＩストリームから映像ストリームと音声ストリームを分離・抽出するＨＤＭＩレシーバ１１７と、ＥＤＩＤやＨＤＣＰ認証キーなどを格納するＥＤＩＤＲＯＭ（ＥＥＰＲＯＭ）１１８と、チューナ部１２とＨＤＭＩ・ＣＥＣ接続するためのＨＤＭＩ入力端子１１９とを備える。
【００２８】
また、チューナ部１２は、チューナ部１２の動作を制御するＭＰＵ１２１と、ＣＥＣメッセージをデコード／エンコードしてＣＥＣメッセージの送受信を行うＣＥＣ処理部１２２と、ＨＤＭＩストリームを受信するＨＤＭＩレシーバ１２３と、ＨＤＭＩストリームを送信するＨＤＭＩトランスミッタ１２４と、ＨＤＭＩ・ＳＷ２とＨＤＭＩ・ＣＥＣ接続するためのＨＤＭＩ入力端子１２５と、モニタ部１１とＨＤＭＩ・ＣＥＣ接続するためのＨＤＭＩ出力端子１２６とを備える。なお、チューナ部１２としては、チューナ機能を備えたレコーダであってもよい。
【００２９】
本例のチューナ部１２は、ＨＤＭＩ入力端子を１つとして図示しているが、複数のＨＤＭＩ入力端子を備えるようにしてもよい。複数のＨＤＭＩ入力端子を備える構成とした場合、複数の接続機器を切り替えて使用するためにＨＤＭＩスイッチを備えるようにすればよい。
【００３０】
モニタ部１１とチューナ部１２との間を接続するＨＤＭＩケーブルは、機器間で共通の制御信号（ＣＥＣメッセージ）を伝送する双方向バスであるＣＥＣライン３と、デジタル信号である映像・音声信号を差動方式で伝送するためのＴＭＤＳ(Transition Minimized Differential Signaling)ラインで構成されるＨＤＭＩライン４と、ＥＤＩＤの送信やＨＤＣＰ認証等に利用されるＤＤＣライン５とが含まれる。
【００３１】
プレーヤ１は、ＨＤＭＩ-ＣＥＣに対応するソース機器であり、プレーヤ以外でも、例えばＤＶＤレコードやＨＤＤレコーダ、デジタル方式ＶＴＲ、デジタルビデオカメラなどが適用される。
【００３２】
ＨＤＭＩ・ＳＷ２は、１つのＨＤＭＩ入力端子２１と３つのＨＤＭＩ出力端子２２〜２４とを備え、ＨＤＭＩ入力端子２１がプレーヤ１の出力側と接続され、ＨＤＭＩ出力端子２２〜２４が表示装置１０ａ〜１０ｃの各チューナ部の入力側と接続される。なお、ここではＨＤＭＩ出力端子２２に対応する表示装置１０ａの内部構成のみ図示しているが、ＨＤＭＩ出力端子２３，２４に対応する表示装置１０ｂ，１０ｃも同様の内部構成を備えているものとする。
【００３３】
図１において、複数の表示装置１０ａ〜１０ｃに同一映像を表示させるために、複数の表示装置１０ａ〜１０ｃのＨＤＭＩ入力とＨＤＭＩ・ＳＷ２の複数のＨＤＭＩ出力とを接続し、ＨＤＭＩ・ＳＷ２のＨＤＭＩ入力に接続されたプレーヤ１からの映像を出力させる場合、ＨＤＭＩ・ＳＷ２は、全てのＨＤＭＩ端子が同じＣＥＣラインで接続されるため、これに接続された表示装置１０ａ〜１０ｃのＣＥＣラインは同一のラインで接続されることになる。
【００３４】
このため、前述の図３で説明したように、同一のＣＥＣライン上にチューナ用論理アドレスを持つ複数のチューナ部と、テレビ用論理アドレスを持つ複数のモニタ部とが存在し、同一の物理アドレスを持つ機器が存在するため、直接接続されたモニタ部とチューナ部との間でＣＥＣ通信を行おうとしても、論理アドレスと物理アドレスにより機器の識別ができず、誤って直接接続されていない機器と通信してしまっていた。
【００３５】
このような問題に対して、本発明の主たる特徴部分は、モニタ部とチューナ部とをＨＤＭＩ・ＣＥＣ接続した表示装置を備えた表示システムにおいて、複数の表示装置を同一のＣＥＣバスに接続した場合に、モニタ部とチューナ部を互いに識別可能とすることにある。
【００３６】
このための構成として、モニタ部１１は、モニタ部１１を識別するための識別情報を付加したＣＥＣメッセージをブロードキャスト送信する第１のＣＥＣ処理手段に相当するＣＥＣ処理部１１３を備える。また、チューナ部１２は、複数の表示装置１０ａ〜１０ｃのいずれかのモニタ部からブロードキャスト送信されたＣＥＣメッセージを受信する第２のＣＥＣ処理手段に相当するＣＥＣ処理部１２２と、チューナ部１２に直接接続されているモニタ部１１にアクセスしてモニタ部１１の識別情報を読み取る識別情報読取手段と、ＣＥＣメッセージに含まれる識別情報とモニタ部１１から読み取った識別情報とが一致するか否かを判定する判定手段とを備える。これらの識別情報読取手段及び判定手段は、ＭＰＵ１２１により実現されるものし、このＭＰＵ１２１により両者が一致すると判定された場合にモニタ部１１との間でＣＥＣ通信を行うように構成される。
【００３７】
上記識別情報としては、ＨＤＭＩ・ＳＷ２に接続された３つの表示装置１０ａ〜１０ｃの各モニタ部を識別できる情報であればよく、既存のものであれば、例えばＨＤＣＰの認証キーを用いることができる。このＨＤＣＰ認証キーは、機器間認証に用いられるものであり、ＥＤＩＤＲＯＭ１１８に格納されている。また、ＥＤＩＤの中にメーカが自由に使用できる固有領域（Manufacture Specified Block）があり、この領域に機器固有識別子を書き込んでおいても良い。
また、ブロードキャスト送信するＣＥＣメッセージとしては、メーカが独自に定義したベンダコマンド（Vendor Command）を利用することができる。
【００３８】
ここで、例えば、３つの表示装置１０ａ〜１０ｃのＥＤＩＤに機器固有識別子としてそれぞれａ，ｂ，ｃを書き込んだ場合について想定する。
スタンバイ状態にある表示装置１０ａを起動させるときに、ユーザがリモコン装置等を操作してリモコン信号をモニタ部１１に対して送信すると、モニタ部１１はこのリモコン信号に対応した起動用のＣＥＣメッセージを送信する。この際、モニタ部１１は、ＥＤＩＤＲＯＭ１１８に格納されているＥＤＩＤから機器固有識別子“ａ”を抽出し、この機器固有識別子“ａ”を上記ＣＥＣメッセージに付加してＣＥＣライン３を介してブロードキャスト送信する。このＣＥＣメッセージのブロードキャスト送信を受けて、表示装置１０ａ〜１０ｃの各チューナ部は、モニタ部１１を識別するための機器固有識別子“ａ”をメモリ（図示せず）に保持する。
【００３９】
次に、表示装置１０ａのチューナ部１２は、ＤＤＣライン５を介して直接接続されているモニタ部１１のＥＤＩＤＲＯＭ１１８にアクセスし、ＥＤＩＤから機器固有識別子“ａ”を取得する。同様に、表示装置１０ｂのチューナ部は、ＤＤＣラインを介して直接接続されているモニタ部のＥＤＩＤＲＯＭにアクセスし、ＥＤＩＤから機器固有識別子“ｂ”を取得し、また、表示装置１０ｃのチューナ部は、ＤＤＣラインを介して直接接続されているモニタ部のＥＤＩＤＲＯＭにアクセスし、ＥＤＩＤから機器固有識別子“ｃ”を取得する。
【００４０】
上記より、表示装置１０ａからブロードキャスト送信された機器固有識別子“ａ”に対して、表示装置１０ａの場合、ＥＤＩＤから機器固有識別子“ａ”が取得され、表示装置１０ｂの場合、ＥＤＩＤから機器固有識別子“ｂ”が取得され、表示装置１０ｃの場合、ＥＤＩＤから機器固有識別子“ｃ”が取得されることになる。この場合、表示装置１０ａのみがモニタ部１１とチューナ部１２との間で共通の機器固有識別子“ａ”を持つことになる。このため以後モニタ部１１とチューナ部１２との間でＣＥＣ通信を行う際に、ＣＥＣメッセージに機器固有識別子“ａ”を付加しておけば、直接接続された機器間でお互いを識別することができ、論理アドレスと物理アドレスによる機器の識別ができない接続構成であっても、モニタ部とチューナ部との間でＣＥＣ通信を確立させることができる。
【００４１】
すなわち、チューナ部１２は、ＭＰＵ１２１により、モニタ部１１からブロードキャスト送信された機器固有識別子とＥＤＩＤから取得された機器固有識別子とが一致すると判定された場合、チューナ部１２とモニタ部１１との間でＣＥＣ通信を行う際に、互いに機器固有識別子が付加されたＣＥＣメッセージにのみ応答するように構成される。これにより直接接続されていない他の機器と誤ってＣＥＣ通信することを防止することができる。
【００４２】
なお、上記の機器固有識別子をＣＥＣメッセージに付加するに当たっては、メッセージサイズを考慮して、モニタ部とチューナ部で同一のルールに基づいてデータサイズを圧縮したものを使用するようにしてもよい。
【００４３】
図２は、図１に示した表示システムが待機状態から起動する場合の処理の一例を説明するための図である。本例の場合、予めモニタ部１１のＥＤＩＤに機器固有識別子を記述しておき、チューナ部１２からＤＤＣ電源＋５Ｖ信号が供給された場合に、モニタ部１１がチューナ部１２にホットプラグ(Hot Plug)を返すように設定しておく。
【００４４】
待機状態にある表示装置１０ａ（モニタ部１１とチューナ部１２）に対して、ユーザがリモコン装置のＵＩ（User Interface）の中の例えば電源キーを操作してリモコン信号を送信すると、モニタ部１１はリモコン信号受信部１１１でリモコン信号を受信・デコードする（Ｓ１）。そして、モニタ部１１は、（Ｓ１）でデコードされた電源キーコードを機器固有識別子と共に、ＣＥＣ処理部１１３からＣＥＣメッセージによりブロードキャスト送信する（Ｓ２）。
【００４５】
次に、チューナ部１２は、ＣＥＣ処理部１２２で受信されたＣＥＣメッセージから機器固有識別子を抽出し、図示しないメモリに保持する（Ｓ３）。そして、チューナ部１２は、（Ｓ３）で受信されたＣＥＣメッセージが電源キーコードであるため、ＭＰＵ１２１がＤＤＣライン５を介して＋５Ｖ信号をモニタ部１１に出力し（Ｓ４）、モニタ部１１は＋５Ｖ信号に対してホットプラグ“Ｈｉｇｈ”をチューナ部１２に返す（Ｓ５）。
【００４６】
次に、チューナ部１２は、モニタ部１１からのホットプラグを検出すると、ＭＰＵ１２１がＤＤＣライン５を介してモニタ部１１のＥＤＩＤＲＯＭ１１８にアクセスしてＥＤＩＤから機器固有識別子を読み取る（Ｓ６，Ｓ７）。なお、これらのＳ４〜Ｓ７における処理はＨＤＭＩ規格において規定されているものである。
【００４７】
ＨＤＭＩ規格に準拠した機器であれば、ＥＤＩＤを内部メモリに持っている。本例の場合、このＥＤＩＤは、モニタ部１１と接続されるチューナ部１２に、モニタの機種名や設定値（解像度など）を伝えるためのモニタ独自のＩＤであり、ＥＤＩＤのやり取りにはＣＥＣラインとは異なるＨＤＭＩのＤＤＣ（Ｉ２Ｃ）ラインが用いられる。上記の＋５Ｖ信号は、チューナ部１２側からモニタ部１１の内部メモリに電力を供給するための信号である。チューナ部１２は、電源オン時などに、上記の＋５Ｖ信号を出力して、モニタ部１１に対してＥＤＩＤを取得する処理を行う。
【００４８】
次に、チューナ部１２は、モニタ部１１のＥＤＩＤから取得された機器固有識別子をメモリに保持し（Ｓ８）、ＭＰＵ１２１は、ＣＥＣメッセージから取得された機器固有識別子とＥＤＩＤから取得された機器固有識別子とを比較し（Ｓ９）、両者が一致しない場合（ＮＯの場合）、＋５Ｖ信号をオフし待機状態に移行する（Ｓ１０）。一方、（Ｓ９）において、両者が一致する場合（ＹＥＳの場合）、ＨＤＭＩトランスミッタ１２４がＡＶストリームの出力を開始し（Ｓ１１）、ＣＥＣ処理部１２２がＣＥＣメッセージによる起動完了通知をモニタ部１１に送信する（Ｓ１２）。
【００４９】
次に、モニタ部１１が、チューナ部１２から起動完了通知を示すＣＥＣメッセージを受信すると、モニタ部１１とチューナ部１２は起動状態に移行し（Ｓ１３）、以後、ホットプラグが“Ｌｏｗ”になるまでモニタ部１１とチューナ部１２との間で認証状態を維持するものとする。
【００５０】
このように、本発明によれば、モニタ部とチューナ部とをＨＤＭＩ・ＣＥＣ接続した表示装置を備えた表示システムにおいて、複数の表示装置を同一のＣＥＣバスに接続した場合に、機器固有の識別子を付加することで、モニタ部とチューナ部とを互いに識別することができるため、論理アドレスと物理アドレスによる機器の識別ができない接続構成であっても、モニタ部とチューナ部との間でＣＥＣ通信を確立させることができる。
【図面の簡単な説明】
【００５１】
【図１】本発明の表示システムにおけるＨＤＭＩ接続に係る要部構成例を説明するためのブロック図である。
【図２】図１に示した表示システムが待機状態から起動する場合の処理の一例を説明するための図である。
【図３】モニタ部とチューナ部を分離して使用するシステムの接続構成例を示す図である。
【符号の説明】
【００５２】
１…プレーヤ（ソース機器）、２…ＨＤＭＩ・ＳＷ（リピータ機器）、３…ＣＥＣライン、４…ＨＤＭＩライン、５…ＤＤＣライン、１０ａ〜１０ｃ…表示装置、１１…モニタ部、１２…チューナ部、１１１…リモコン信号受信部、１１２，１２１…ＭＰＵ(制御部)、１１３，１２２…ＣＥＣ処理部、１１４…スピーカ、１１５…音声出力部、１１６…画像表示部、１１７，１２３…ＨＤＭＩレシーバ、１１８…ＥＤＩＤＲＯＭ、１１９，１２５…ＨＤＭＩ入力端子、１２４…ＨＤＭＩトランスミッタ、１２６…ＨＤＭＩ出力端子。
【図１】
2010041384.tif 000003
【図２】
2010041384.tif 000004
【図３】
2010041384.tif 000005